(57)【特許請求の範囲】
【請求項１】
電気と流体との少なくとも１種類の取出口を備える屋外ユニットを屋外に複数台設置し、屋外ユニットに信号経路を介して情報を授受する集中制御装置によって各屋外ユニットの取出口への電路・流路の開閉を制御する屋外用給配システムであって、屋外ユニットは、取出口ごとに電路・流路を開閉する開閉器と、屋外ユニットごとの識別情報を有し集中制御装置との間で信号経路を介して情報を授受する端末器とを備え、かつ地面に設けた収納穴に収納される状態と収納穴から突出する状態との間で出没可能に設置され、収納穴には屋外ユニットが収納穴に収納された状態で収納穴の開口面に嵌着される蓋体が配置され、端末器は集中制御装置に対して電気、水、空気の使用許可と使用終了とを通知する際に操作される操作部を備え、集中制御装置は端末器において操作部が操作されると識別情報を用いることにより各屋外ユニットを個別に認識し端末器を通して各開閉器を開閉することを特徴とする屋外用給配システム。
【請求項２】
屋外ユニットは地面に出没させる駆動源を備え、駆動源は集中制御装置から識別情報とともに伝送される制御情報を用いて制御されることを特徴とする請求項１記載の屋外用給配システム。
【請求項３】
電気と流体との少なくとも１種類の取出口を備える屋外ユニットを屋外に複数台設置し、屋外ユニットに信号経路を介して情報を授受する集中制御装置によって各屋外ユニットの取出口への電路・流路の開閉を制御する屋外用給配システムであって、屋外ユニットは、取出口ごとに電路・流路を開閉する開閉器と、屋外ユニットごとの識別情報を有し集中制御装置との間で信号経路を介して情報を授受する端末器とを備え、かつ地面に設けた収納穴の中に配置した接続台に接続されない状態と接続台に接続され収納穴から突出する状態との間で接続台に対して着脱自在であって、収納穴には屋外ユニットが接続台に接続されない状態で収納穴の開口面に嵌着される蓋体が配置され、端末器は集中制御装置に対して電気、水、空気の使用許可と使用終了とを通知する際に操作される操作部を備え、集中制御装置は端末器において操作部が操作されると識別情報を用いることにより各屋外ユニットを個別に認識し端末器を通して各開閉器を開閉することを特徴とする屋外用給配システム。
【請求項４】
前記屋外ユニットは取出口を有するハウジングを備え、前記端末器は、識別情報を設定した識別情報設定手段と、集中制御装置からの識別情報と識別情報設定手段に設定されている識別情報とを照合する判別手段と、判別手段により識別情報の一致が検出されると集中制御装置から識別情報とともに伝送される制御情報を用いて開閉器を制御する制御手段とを備えることを特徴とする請求項１ないし請求項３のいずれか１項に記載の屋外用給配システム。
【請求項５】
屋外ユニットは集中制御装置から識別情報とともに伝送される報知情報を報知する報知手段を備えることを特徴とする請求項１ないし請求項４のいずれか１項に記載の屋外用給配システム。
【請求項６】
取出口からの電気・流体の使用量を検出する検出器を屋外ユニットに設け、検出器の出力値に基づいて使用料金を算出する料金演算手段を集中制御装置に設け、料金演算手段により求めた使用料金を表示する表示手段を屋外ユニットに設けたことを特徴とする請求項１ないし請求項５のいずれか１項に記載の屋外用給配システム。
【請求項７】
上記信号経路を無線としたことを特徴とする請求項１ないし請求項６のいずれか１項に記載の屋外用給配システム。
【発明の詳細な説明】
【０００１】
【発明の属する技術分野】
本発明は、屋外に設置した屋外ユニットから必要に応じて電気や水を取り出すことができるようにした屋外用給配システムに関するものである。
【０００２】
【従来の技術】
従来より、屋外にパイプ状のポール本体を立設し、ポール本体に給電部および給水部を設け、ポール本体内に設けた配線および配管をそれぞれ給電部および給水部に接続した複合機能ポールが提案されている（特開平４−２９９９２６号公報）。この複合機能ポールは、庭園や緑地のような屋外に設置することで、屋外でも電気および水を容易に得ることができるようにしたものである。また、この複合機能ポールには照明機能も設けられている。
【０００３】
【発明が解決しようとする課題】
ところで、上述した複合機能ポールは屋外の定位置に常設されているものであり、供給水量を変えるための水量調節部が設けられているものの、設置場所に出入りすることができる者であれば、いつでも使用することができるようになっている。したがって、設置場所によっては電気や水が不必要に使用されるおそれがある。たとえば、イベント会場などでは、イベントの開催中にのみ電気や水を使用することができれば充分な場合が多く、このような使用用途では使用場所や使用期間を制限することが望ましい。
【０００４】
本発明は上記事由に鑑みて為されたものであり、その目的は、屋外に設置した屋外ユニットからの電気や流体の供給を集中制御装置によって制御することができるようにし、使用場所や使用期限を制限することができるようにした屋外用給配システムを提供しようとするものである。
【０００５】
【課題を解決するための手段】
請求項１の発明は、上記目的を達成するために、電気と流体との少なくとも１種類の取出口を備える屋外ユニットを屋外に複数台設置し、屋外ユニットに信号経路を介して情報を授受する集中制御装置によって各屋外ユニットの取出口への電路・流路の開閉を制御する屋外用給配システムであって、屋外ユニットは、取出口ごとに電路・流路を開閉する開閉器と、屋外ユニットごとの識別情報を有し集中制御装置との間で信号経路を介して情報を授受する端末器とを備え、かつ地面に設けた収納穴に収納される状態と収納穴から突出する状態との間で出没可能に設置され、収納穴には屋外ユニットが収納穴に収納された状態で収納穴の開口面に嵌着される蓋体が配置され、端末器は集中制御装置に対して電気、水、空気の使用許可と使用終了とを通知する際に操作される操作部を備え、集中制御装置は端末器において操作部が操作されると識別情報を用いることにより各屋外ユニットを個別に認識し端末器を通して各開閉器を開閉するものである。
【０００６】
この構成によれば、屋外ユニットに設けた取出口への電路・流路に開閉器を設けて取出口ごとに電路・流路を開閉することができるから、開閉器を制御することにより所望場所の屋外ユニットについて所望期間にのみ取出口から電気や流体の供給が可能になる。屋外ユニットには識別情報が設定されており、この識別情報を用いて屋外ユニットを特定した情報を集中制御装置から信号経路を介して屋外ユニットに伝送するから、集中制御装置によって各屋外ユニットの開閉器を個別に制御することができ、集中制御装置から開閉器を制御することで屋外ユニットが不用意に使用されるのを防止することができる。しかも、複数台の屋外ユニットを集中制御装置を用いて１箇所で管理することができることによって、使用・不使用の設定作業が容易になる。さらに、不使用時には地面に設けた収納穴に屋外ユニットを収納し、かつ収納穴の開口面に蓋体を嵌着するから、グランドや広場に屋外ユニットを設置している場合に、イベントなどの開催時には屋外ユニットを地上に出して使用し、イベントなどを行なわない平常時は屋外ユニットを地面に収納し、かつ地面に設けた収納穴を蓋体で塞ぐことになり、平常時には屋外ユニットが邪魔にならないのである。このことにより、イベントなどを行なわないときにはグランドや広場を本来の目的で使用するのを妨げず、また景観を損なわないようにすることができる。加えて、屋外ユニットに設けた操作部の操作により開閉器を開閉させるから、必要な箇所の屋外ユニットの操作部のみを操作すればよく無駄がない。
【０００７】
ここに、電路とは電力供給路、電気信号を伝送する信号線を意味し、流路とは水道管、空気を送る送風管を意味する。送風管に通す空気は圧搾空気であって、各種形状のバルーンを膨らませたり、散水や放水のための補助圧力として用いられる。
請求項２の発明では、請求項１の発明において、屋外ユニットが地面に出没させる駆動源を備え、駆動源は集中制御装置から識別情報とともに伝送される制御情報を用いて制御される。
【０００８】
この構成は、屋外ユニットを出没させるためにモータのような駆動源を用いるのであり、その駆動源を集中制御装置から制御可能とすることにより、屋外ユニットに設けた開閉器だけではなく、屋外ユニットの出没も集中制御装置から制御できるようにしているのである。このような制御を行なうことによって、屋外ユニットを地上に露出させるとともに、開閉器を開放して取出口を使用可能にするという一連の操作を集中制御装置で一括して行なうことができるという利点がある。また、人力で屋外ユニットを地中から引き出すよりも作業が簡単になる。
【０００９】
請求項３の発明は、電気と流体との少なくとも１種類の取出口を備える屋外ユニットを屋外に複数台設置し、屋外ユニットに信号経路を介して情報を授受する集中制御装置によって各屋外ユニットの取出口への電路・流路の開閉を制御する屋外用給配システムであって、屋外ユニットは、取出口ごとに電路・流路を開閉する開閉器と、屋外ユニットごとの識別情報を有し集中制御装置との間で信号経路を介して情報を授受する端末器とを備え、かつ地面に設けた収納穴の中に配置した接続台に接続されない状態と接続台に接続され収納穴から突出する状態との間で接続台に対して着脱自在であって、収納穴には屋外ユニットが接続台に接続されない状態で収納穴の開口面に嵌着される蓋体が配置され、端末器は集中制御装置に対して電気、水、空気の使用許可と使用終了とを通知する際に操作される操作部を備え、集中制御装置は端末器において操作部が操作されると識別情報を用いることにより各屋外ユニットを個別に認識し端末器を通して各開閉器を開閉するものである。
この構成によれば、請求項１の発明と同様の作用が期待できる。加えて、屋外ユニットを設置場所から容易に移動させることができる。電路・流路と屋外ユニットとの接続は着脱自在なコネクタを用いればよく、屋外ユニットを設置場所から取り外して移動させることが可能であるから、不使用時には屋外ユニットを外して別の場所に収納しておけばよい。
【００１０】
請求項４の発明は、請求項１ないし請求項３の発明において、前記屋外ユニットが取出口を有するハウジングを備え、前記端末器が、識別情報を設定した識別情報設定手段と、集中制御装置からの識別情報と識別情報設定手段に設定されている識別情報とを照合する判別手段と、判別手段により識別情報の一致が検出されると集中制御装置から識別情報とともに伝送される制御情報を用いて開閉器を制御する制御手段とを備えるものである。
この構成では、集中制御装置からは識別情報とともに制御情報を伝送し、屋外ユニットでは識別情報設定手段にあらかじめ設定されている識別情報と集中制御装置からの識別情報とが一致したときに、制御情報に基づいて負荷制御手段により開閉器を制御するのである。このように識別情報を用いることによって、屋外ユニットを個別に指定することができ、制御情報により開閉器を制御することができる。また、屋外ユニットに複数個の取出口が設けられている場合でも、通常はすべての開閉器を一括して開閉すればよいが、制御情報を用いることによって各取出口に対応する開閉器を個別に開閉することも可能である。
【００１２】
請求項５の発明は、請求項１ないし請求項４の発明において、屋外ユニットが集中制御装置から識別情報とともに伝送される報知情報を報知する報知手段を備えるのである。
このように報知手段を設けておけば、緊急時の通報ないし警報や各種のメッセージを報知することが可能になる。とくに、災害時などには、報知手段を緊急情報の伝達に利用できるから利用価値が高いものである。しかも、屋外ユニットには、電気、水道などの取出口を設けておくことができるから、屋外での生活が容易であって人が集まりやすい環境で報知手段による報知を行なうことができ、報知内容が伝わりやすくなる。
【００１３】
請求項６の発明は、請求項１ないし請求項５の発明において、取出口からの電気・流体の使用量を検出する検出器を屋外ユニットに設け、検出器の出力値に基づいて使用料金を算出する料金演算手段を集中制御装置に設け、料金演算手段により求めた使用料金を表示する表示手段を屋外ユニットに設けたものである。
この構成では、電気、水道などのように使用量に応じた料金の支払いが発生する場合に、使用料金を屋外ユニットの表示手段に表示させることによって、各屋外ユニットでの使用量を知ることができ、たとえば使用者ごとに課金するなどのきめ細かな対応が可能になる。
【００１４】
請求項７の発明は、請求項１ないし請求項６の発明において、信号経路を無線としたものである。
この構成では屋外ユニットと集中制御装置との間に信号線が不要であり、屋外ユニットは信号線の敷設を考慮することなく、電路や流路との接続のみを考慮して設置することができ、屋外ユニットの設置が容易になる。
【００１５】
【発明の実施の形態】
（実施形態１）
以下に説明する実施形態では、屋外に設置した屋外ユニットから電気、水、空気の供給を可能とする例を示す。図１は本実施形態の基本的な構成であって、複数の屋外ユニット１にそれぞれ設けた端末器１０と、各端末器１０に対して信号線３を介して接続された集中制御装置２とを備える。信号線３は２線式であって、集中制御装置２は、図２に示すフォーマットの伝送信号を信号線３を介して端末器１０に伝送する。信号線３を伝送される伝送信号は、伝送信号の送出開始を示す同期信号ＳＹ、伝送信号のモードを示すモードデータＭＤ、端末器１０を個別に認識するための識別情報としてのアドレスデータＡＤ、制御情報としての制御データＣＤ、伝送誤りを検出するチェックサムデータＣＳ、端末器１０からの返送期間を設定する信号返送期間ＷＴよりなる双極性（±２４Ｖ）の時分割多重信号であり、パルス幅変調によってデータが伝送されるようになっている（図２（ｂ））。端末器１０から信号返送期間ＷＴに送出される信号には、電流モード信号（信号線３の線間を適当な低インピーダンスを介して短絡して送出される信号）を用いる。
【００１６】
集中制御装置２から所望の端末器１０に情報を伝送する場合には、モードデータＭＤを制御モードとし、所望の端末器１０のアドレスをアドレスデータＡＤとする伝送信号を送出し、この伝送信号を信号線３に送出すれば、アドレスデータＡＤに一致する端末器１０のみが制御データＣＤを受け取り、制御データＣＤにパリティビットを付加した信号を信号返送期間ＷＴに返送する。集中制御装置２では送出した信号と信号返送期間ＷＴにおける受信信号との一致によって制御データＣＤが所望の端末器１０に伝送されたことを確認する。また、端末器１０は受け取った制御データＣＤに従って負荷を制御する。つまり、各端末器１０は制御モードの伝送信号のアドレスデータＡＤが、あらかじめ設定されているアドレスに一致すると、制御データＣＤに従って負荷を制御するのである。ここに、制御データＣＤとして文字データ、図形データ、音声データを用いることも可能である。負荷については後述する。
【００１７】
一方、集中制御装置２は常時はモードデータＭＤをダミーモードとした伝送信号を一定時間間隔で送出しており、端末器１０が集中制御装置２に対して何らかの情報を伝送しようとするときには、ダミーモードの伝送信号の同期信号ＳＹに同期させて図２（ｃ）のような割込信号を発生させる。このとき、端末器１０には割込フラグを設定して集中制御装置２との以後の情報授受に備える。集中制御装置２では割込信号を受信すると、モードデータＭＤを割込ポーリングモードとしかつアドレスデータＡＤの上位の半数のビット（アドレスデータを８ビットとすれば上位４ビット）を順次増加させながら伝送信号を送出し、割込信号を発生した端末器１０では、割込ポーリングモードの伝送信号のアドレスデータＡＤの上位４ビットが端末器１０に設定されているアドレスの上位４ビットに一致するときに、信号返送期間ＷＴにアドレスの下位の半数のビットを集中制御装置２に返送するのである。このように、集中制御装置２は割込信号を発生した端末器１０を１６個ずつまとめて探すので、比較的短い時間で端末器１０を発見することができる。このようにして集中制御装置２が割込信号を発生した端末器１０のアドレスを獲得すると、モードデータＭＤを監視モードとし、獲得したアドレスデータＡＤを持つ伝送信号を信号線３に送出し、これに対して端末器１０は伝送しようとする情報を信号返送期間ＷＴに返送するのである。最後に、集中制御装置２は割込信号を発生した端末器１０に対して割込リセットを指示する信号を送出し、端末器１０の割込フラグを解除する。以上のようにして、端末器１０から集中制御装置２への情報伝送は、集中制御装置２から端末器１０への４回の信号伝送（ダミーモード、割込ポーリングモード、監視モード、割込リセット）によって完了する。集中制御装置２が所望の端末器１０の動作状態を知ろうとするときには、モードデータＭＤを監視データとした伝送信号を送出するだけでよい。
【００１８】
端末器１０は、図３のように、信号線３に接続される送受信部１１を備える。送受信部１１を通して受信した伝送信号は信号処理部１２に入力されて上記処理が行なわれ、また信号処理部１２は送受信部１１を通して集中制御装置２に返送するデータを生成する。信号処理部１２は識別情報設定手段としてのアドレス設定部１３に設定されたアドレスと伝送信号のアドレスデータとを照合する判別手段として機能する。また、信号処理部１２は、電源供給用の電線（電路）３６ａ、水を供給する水道管（流路）３６ｂ、圧搾空気を供給する送風管（流路）３６ｃに挿入された開閉器としてのリモコンブレーカ３１ａや電磁弁３１ｂ，３１ｃを伝送信号の制御データに従って制御する負荷制御手段としても機能する。さらに、信号処理部１２はリレー（ラッチング形を用いる）３２を制御し、リレー３２によって照明負荷３３の点灯・消灯を制御する。
【００１９】
リモコンブレーカ３１ａは、接点を開閉するための電磁石をブレーカに付加したものであり、外部信号により電磁石を駆動することができるように構成されている。このリモコンブレーカ３１ａの接点を電力供給用の電線３６ａと屋外ユニット１に取出口として設けたコンセント３４ａとの間に挿入すれば、外部信号によってコンセント３４ａへの給電と給電停止とを指示することができる。ここで、電線３６ａとしては商用電源から交流１００Ｖを供給するものや、商用電源を整流平滑した直流１２Ｖを供給するものを採用することができる。場合によっては複数種類のものを併用してもよい。また、電磁弁３１ｂ，３１ｃは、それぞれ水道管３６ｂおよび送風管３６ｃと屋外ユニット１に取出口として設けた吐出管３４ｂ，３４ｃとの間に挿入すれば、電磁弁３１ｂ，３１ｃを制御する外部信号によって水ないし空気の供給と停止とを指示することができる。要するに、集中制御装置２からの制御データによって、電気、水、空気の使用の許可・不許可を指示することができる。また、電磁弁３１ｂ，３１ｃと吐出管３４ｂ，３４ｃとの間には手動バルブ３５ｂ，３５ｃが配置される。
【００２０】
上述のように、リモコンブレーカ３１ａや電磁弁３１ｂ，３１ｃは端末器１０の負荷になる。制御データに文字データや図形データが含まれるときには液晶表示器あるいは発光ダイオード表示器よりなる表示部１４に表示され、音声データが含まれるときにはスピーカよりなる音声部１５から音声が送出される。信号処理部１２にはスイッチよりなる操作部１６も接続され、操作部１６の操作に伴って上述した割込信号が発生する。操作部１６は集中制御装置２に対して電気、水、空気の使用許可を求めるために設けられており、操作部１６を操作すると集中制御装置２に許可が求められ、許可する場合にはリモコンブレーカ３１ａをオンにし、電磁弁３１ｂ，３１ｃを開放する制御データが集中制御装置２から端末器１に伝送される。
【００２１】
一方、集中制御装置２には、図４に示すように、マイクロコンピュータを用いた信号処理部２０が設けられ、ＣＲＴや液晶表示器よりなる表示部２２と、キーボードを用いた入力部２３と、マイクロホンを備える音声部２４と、端末器１０の配置場所とＩＤとを対応付けたテーブルや端末器１０での電気、水、空気の使用状態を格納する記憶部２５とが設けられる。信号処理部２０は送受信部２１を介して信号線３に接続され、上述したように端末器１０との間で情報を授受する。集中制御装置２の近傍には電気、水、空気を供給する供給機４（図１参照）が配置されており、電線３６ａ、水道管３６ｂ、送風管３６ｃの一端は供給機４に接続されている。供給機４は電気、水道、空気を一括して遮断することができ、また、電気であれば必要に応じてノイズフィルタや降圧回路を含み、水道や空気であれば必要に応じて整圧機や浄化用フィルタを含む。
【００２２】
ところで、上述した屋外ユニットは１は、図５に示すように、中空の柱状に形成されたハウジング５０を備え、ハウジング５０の周面には、電気用のコンセント３４ａ、水道用の吐出管３４ｂ、空気用の吐出口３４ｃが取出口（図３参照）として設けられる。取出口はハウジング５０の外周面に露出させておいてもよいが、風雨に晒されないように開閉自在な蓋により覆っておくのが望ましい。
【００２３】
このハウジング５０を設置する場所の地面Ｅには、ハウジング５０が収納可能となる深さ寸法の収納穴５１が形成される。収納穴５１の周囲は通常はコンクリートにより箱状に形成されるが、合成樹脂などにより形成された箱を地中に埋めてもよい。収納穴５１の開口部分は閉塞体５２により閉塞される。閉塞体５２にはハウジング５０が上下に移動可能となるように挿通される。また、閉塞体５２に対するハウジング５０の上限位置および下限位置はあらかじめ規定されている。ハウジング５０の下限位置ではハウジング５０の上端面が閉塞体５２の上面よりもやや下に位置し、ハウジング５０が下限位置であるときに閉塞体５２の上面に形成される凹みには蓋体５３が着脱自在に嵌着される。また、ハウジング５０を上昇させるときには、図５（ｂ）のように蓋体５３を横にずらしておく。
【００２４】
ハウジング５０には、上述のように３種類の取出口が設けられるから、既設の電線３６ａ、水道管３６ｂ、送風管３６ｃと取出口とを接続するための配線４１ａおよび配管４１ｂ，４１ｃが設けられる。配線４１ａおよび配管４１ｂ，４１ｃは、それぞれ収納穴５１の中の定位置に固定されたリール４２ａ〜４２ｃを備え、ハウジング５０の上下移動に伴って配線４１ａおよび配管４１ｂ，４１ｃの一部がリール４２ａ〜４２ｃから引き出されたり、巻き取られたりするようになっている。ここに、配線４１ａおよび配管４１ｂ，４１ｃを各別にリール４２ａ〜４２ｃで巻き取らずに、一括して一つのリールで同時に巻き取ってもよい。
【００２５】
ハウジング５０の上下の移動は、図６（ａ）のように、閉塞体５２などの定位置に設けた駆動源としてのモータ（図示せず）の出力軸にピニオン５４ａを結合し、このピニオン５４ａとハウジング５０に設けたラック５４ｂとを噛合させ、モータを正転・逆転させることによって実現される。また、図６（ｂ）のように、収納穴５１もしくは閉塞体５２の定位置に滑車５５ａ，５５ｂを設けるとともに、滑車５５ａ，５５ｂに懸け渡したワイヤ５６の一端をハウジング５０の下端に結合しておき、ワイヤ５６の他端部を駆動源としてのモータ５７により巻き取るようにしておき、モータ５７を正転・逆転させることによりモータ５７の回転に応じてハウジング５０を上下に移動させるようにしてもよい。なお、モータ５７に代えてウィンチを用いることにより、ハウジング５０の上下移動を人力で行なうようにしてもよい。
【００２６】
ハウジング５０を地面に対して出没させる構成としては、図７に示すように、柱状のハウジング５０の一端部を収納穴５１の定位置に設けた軸５８により軸着し、図７（ａ）のように収納穴５１に収まる位置と、図７（ｂ）のように収納穴５１から突出する位置との間で起伏させる構成を採用してもよい。この構成の場合に、配線４１ａおよび配管４１ｂ，４１ｃにおけるハウジング５０への導入部位には可撓なものを用いるか回転型のコネクタや回転型の継手を用いるようにし、配線４１ａおよび配管４１ｂ，４１ｃがハウジング５０の起伏によって破損しないようにしておく。収納穴５１の開口面には蓋体５３′が着脱自在に嵌着される。この蓋体５３′は、図７（ｂ）のようにヒンジ結合されたフラップ片５３ａを備え、ハウジング５０を立てた時にはフラップ片５３ａを下側に折り込んで蓋体５３′の一部を開放する。フラップ片５３ａは図７（ａ）の位置において掛け金によって固定され、掛け金を外すとフラップ片５３ａを下側に折り込むことができるようになっている。また、ハウジング５０を起伏させる構造において、図８に示すように、蓋体５３″をハウジング５０と一体に設けてもよい。ハウジング５０に蓋体５３″を一体に設けたものでは、図８（ｂ）のようにハウジング５０を収納位置からやや持ち上げる程度として使用するように構成してもよい。この場合、ハウジング５０のうち地上に露出する部分に取出口を設けておくことは言うまでもない。図７、図８で示したようにハウジング５０を起伏させる構成では、軸５８に駆動源としてのモータを設けることによりハウジング５０を電動で起伏させるか、あるいはモータを設けることなく人力でハウジング５０の起伏を行なう。
【００２７】
ハウジング５０を地面に対して出没させる構成には、図９に示すように、収納穴５１にはハウジング５０を収納せず、収納穴５１には接続台５９を配置しておく構成もある。接続台５９は電気的な接続部、および水と空気との接続部をそれぞれ備え、ハウジング５０が着脱自在に接続されるように構成されている。この接続台５９はハウジング５０が接続されていない状態では、電気、水、空気の供給を停止させる構成を有したものである。したがって、接続台５９における水、空気の接続部には、自動閉止機構付の流体用コンセント（この流体用コンセントは燃料ガスの供給口に用いられているものと同様の構造のものであり、何も接続されない状態では流路を閉止する）が用いられる。接続台５９には、図９（ｂ）のようにハウジング５０を接続してハウジング５０を地面に立設することができ、ハウジング５０を接続台５９に結合した状態では流体用コンセントが開放される。
【００２８】
次に、上述した屋外ユニット１を使用する手順を説明する。図５、図７に示した屋外ユニット１は収納穴５１を開閉する蓋体５３，５３′を備え、収納穴５１の中には屋外ユニット１の使用許可を集中制御装置２に求めるための端末器１０の操作部１６が配置されており、蓋体５３，５３′を外して操作部１６を操作すると、上述のように端末器１０のＩＤが集中制御装置２に転送され、そのＩＤを用いて集中制御装置２からはモータを駆動して屋外ユニット１を地面に立設するように指示が与えられる。屋外ユニット１が地面に立設された状態で、操作部１６を操作して使用の許可を求めると、集中制御装置２はリモコンブレーカ３１ａや電磁弁３１ｂ，３１ｃを開放して電気、水、空気を使用可能な状態で待機させる。ただし、水、空気の流路は手動バルブ３５ｂ，３５ｃにより閉止されているから、水や空気は吐出されない。操作部１６は照明負荷３３も制御可能であって、操作部１６の操作によって照明負荷３３を点灯させることができる。また、手動バルブ３５ｂ，３５ｃを開放すれば、水や空気が使用可能になる。さらに、屋外ユニット１には音声部１５が設けられているから放送を行なうことができる。ここに、音声部１５にスピーカだけでなくマイクロホンを設けておけば、集中管理装置２との間の通話も可能である。
【００２９】
一方、屋外ユニット１の使用を終了するには、まず手動バルブ３５ｂ，３５ｃを閉じるとともに接続されている電線や配管を外し、操作部１６を操作して集中制御装置２に対して使用終了の旨の通知を行なう。この通知に対して集中制御装置２からはリモコンブレーカ３１ａをオフにするとともに電磁弁３１ｂ，３１ｃを閉止する指示が与えられる。次に、操作部１６により屋外ユニット１の収納を通知すると、集中制御装置２からの指示によって屋外ユニット１が地面に収納されるのである。
【００３０】
なお、電気の出力として充電用の出力を持たせれば、電気自動車や車椅子のバッテリを充電することも可能である。また、空気を供給するから、バルーンを膨らませたり、仮設トイレや浄化槽への送風を行なったり、簡易のエアカーテンを作ることが可能である。さらには、水圧が低くても空気圧を利用すれば加圧して送水することが可能であるから、植物への散水や火災時の消火水を遠方まで飛ばすことが可能になる。また、信号線３には制御情報や音声情報だけではなく、映像情報も伝送することができるから、屋外ユニット１に監視カメラを設け、集中制御装置２において監視を行なうことも可能である。しかも、端末器１０に設定されているＩＤを用いて特定の場所ごとに異なる放送が可能であるから、非常時には各地域ごとに最寄りの非難場所などを報知することが可能である。
【００３１】
屋外ユニット１の近傍に汚水タンクを設けておけば、仮設トイレを設置したときに、電気、水、空気を供給して仮設トイレに必要な設備を容易に整えることができる。また、供給機４に貯水槽を設けたり雨水利用設備を設けたりしておけば、災害時などに水道の供給が止まっても給水が可能になる。同様に、供給機４に太陽電池発電設備や自家発電設備を設けておけば、電気の供給が止まっても給電が可能になるのである。
【００３２】
（実施形態２）
本実施形態は、図１０に示すように、実施形態１に加えて端末器１０に電気、水、空気の使用量を計測する検出器としての電力メータ３７ａ、水量メータ３７ｂ、エアメータ３７ｃを設けたものである。電力メータ３７ａは電線３６ａとリモコンブレーカ３１ａとの間に挿入され、水量メータ３７ｂおよびエアメータ３７ｃはそれぞれ電磁弁３１ｂ，３１ｃと手動バルブ３５ｂ，３５ｃとの間に挿入される。
【００３３】
電力メータ３７ａ、水量メータ３７ｂ、エアメータ３７ｃはそれぞれ電気、水、空気の使用中に使用量を計測し、使用終了の指示を行なった時点（つまり、リモコンブレーカ３１ａをオフにするとともに電磁弁３１ｂ，３１ｃを閉止する指示を行なった時点）の使用量を集中制御装置２に伝送する。集中制御装置２では、使用量に基づいて料金を計算し、リモコンブレーカ３１ａをオフにするとともに電磁弁３１ｂ，３１ｃを閉止するように端末器１０に指示する際に、求めた料金を端末器１０に返すことによって端末器１０の表示部１４に料金を表示させる。このようにして、使用料金を表示部１４に表示させて使用者に料金の通知を行なうことができる。他の構成および動作は実施形態１と同様である。
【００３４】
なお、本実施形態では、カードリーダを設け、プリペイドカードをカードリーダに挿入したときに電気、水、空気の使用が可能になるようにしてもよく、その場合には、使用料金が自動的に精算されるようにしておけばよい。
上記した２つの実施形態では、端末器１０と集中制御装置２との間で情報を伝送する伝送路として信号線３を用い、信号線３に端末器１０をマルチドロップ接続しているが、端末器１０は集中制御装置２に対してスター接続してもよく、また信号線３を用いずに無線（電波、赤外線）を用いてもよい。なお、集中制御装置２との情報の授受を行なわずに、屋外ユニット１にカードリーダを設けて所定の情報を登録したカードが挿入されたときに電気、水、空気の供給を許可したり、屋外ユニット１にキースイッチを設けて所定の情報を登録したキーが挿入されたときに電気、水、空気の供給を許可する構成とすることも可能である。さらに、リモコンブレーカ３１ａの操作用ハンドルを用いて電気を供給可能とし、電磁弁３１ｂ，３１ｃに操作部付きのものを用いて手動操作による水や空気を供給可能としてもよい。このような構成を採用すれば、何らかの原因で集中制御装置２との情報伝送ができないような場合でも、電気、水、空気の使用が可能になる。上述のように集中制御装置２からの制御データを用いずに屋外ユニット１のみで電気、水、空気を使用するときには、屋外ユニット１が電気、水、空気の供給を許可したことをできるかぎり集中制御装置２に報知することで各屋外ユニット１の使用状態を集中制御装置２で監視できるようにするのが望ましい。
【００３５】
【発明の効果】
請求項１の発明の構成によれば、屋外ユニットに設けた取出口への電路・流路に開閉器を設けて取出口ごとに電路・流路を開閉することができるから、開閉器を制御することにより所望場所の屋外ユニットについて所望期間にのみ取出口から電気や流体の供給が可能になるという利点がある。また、屋外ユニットには識別情報が設定されており、この識別情報を用いて屋外ユニットを特定した情報を集中制御装置から信号経路を介して屋外ユニットに伝送するから、集中制御装置によって各屋外ユニットの開閉器を個別に制御することができ、集中制御装置から開閉器を制御することで屋外ユニットが不用意に使用されるのを防止することができるという利点がある。しかも、複数台の屋外ユニットの使用状態を集中制御装置を用いて１箇所で管理することができるから、使用・不使用の設定作業が容易になるという効果がある。さらに、不使用時には地面に設けた収納穴に屋外ユニットを収納し、かつ収納穴の開口面に蓋体を嵌着するから、グランドや広場に屋外ユニットを設置している場合に、イベントなどの開催時には屋外ユニットを地上に出して使用し、イベントなどを行なわない平常時は屋外ユニットを地面に収納し、かつ地面に設けた収納穴を蓋体で塞ぐことになり、平常時には屋外ユニットが邪魔にならないという利点がある。このことにより、イベントなどを行なわないときにはグランドや広場を本来の目的で使用するのを妨げず、また景観を損なわないようにすることができる。加えて、屋外ユニットに設けた操作部の操作により開閉器を開閉させるから、必要な箇所の屋外ユニットの操作部のみを操作すればよく、無駄がないという利点がある。
【００３６】
請求項２の発明のように、屋外ユニットが地面に出没させる駆動源を備え、駆動源は集中制御装置から識別情報とともに伝送される制御情報を用いて制御されるものでは、駆動源を集中制御装置から制御可能とすることにより、屋外ユニットに設けた開閉器だけではなく、屋外ユニットの出没も集中制御装置から制御でき、このような制御を行なうことによって、屋外ユニットを地上に露出させるとともに、開閉器を開放して取出口を使用可能にするという一連の操作を集中制御装置で一括して行なうことができるという利点がある。また、人力で屋外ユニットを地中から引き出すよりも作業が簡単になるという利点がある。
【００３７】
請求項３の発明の構成によれば、請求項１の発明と同様の効果が得られる。しかも、屋外ユニットを設置場所から容易に移動させることができる。ここで、電路・流路と屋外ユニットとの接続は着脱自在なコネクタを用いればよく、屋外ユニットを設置場所から取り外して移動させることが可能であるから、不使用時には屋外ユニットを外して別の場所に収納しておけばよいのである。
【００３８】
請求項４の発明のように、屋外ユニットが取出口を有するハウジングを備え、端末器が、識別情報を設定した識別情報設定手段と、集中制御装置からの識別情報と識別情報設定手段に設定されている識別情報とを照合する判別手段と、判別手段により識別情報の一致が検出されると集中制御装置から識別情報とともに伝送される制御情報を用いて開閉器を制御する制御手段とを備えるものでは、集中制御装置からは識別情報とともに制御情報を伝送し、屋外ユニットでは識別情報設定手段にあらかじめ設定されている識別情報と集中制御装置からの識別情報とが一致したときに、制御情報に基づいて負荷制御手段により開閉器を制御するのであって、識別情報を用いることによって、屋外ユニットを個別に指定して制御情報により開閉器を制御することができる。また、屋外ユニットに複数個の取出口が設けられている場合でも、制御情報を用いることによって各取出口に対応する開閉器を個別に開閉することが可能になる。
【００４０】
請求項５の発明のように、屋外ユニットが集中制御装置から識別情報とともに伝送される報知情報を報知する報知手段を備えるものでは、緊急時の通報ないし警報や各種のメッセージを報知することが可能になる。しかも、屋外ユニットには、電気、水道などの取出口を設けておくことができるから、屋外での生活が容易であって人が集まりやすい環境で報知手段による報知を行なうことができ、報知内容が伝わりやすくなるという利点がある。
【００４１】
請求項６の発明のように、取出口からの電気・流体の使用量を検出する検出器を屋外ユニットに設け、検出器の出力値に基づいて使用料金を算出する料金演算手段を集中制御装置に設け、料金演算手段により求めた使用料金を表示する表示手段を屋外ユニットに設けたものでは、電気、水道などのように使用量に応じた料金の支払いが発生する場合に、使用料金を屋外ユニットの表示手段に表示させることによって、各屋外ユニットでの使用量を知ることができ、たとえば使用者ごとに課金するなどのきめ細かな対応が可能になるという利点がある。
【００４２】
請求項７の発明のように、信号経路を無線としたものでは、屋外ユニットと集中制御装置との間に信号線が不要であり、屋外ユニットは信号線の敷設を考慮することなく、電路や流路との接続のみを考慮して設置することができ、屋外ユニットの設置が容易になるという利点がある。
【図面の簡単な説明】
【図１】本発明の実施形態１の概略構成図である。
【図２】同上に用いる伝送信号を示す図である。
【図３】同上に用いる屋外ユニットのブロック図である。
【図４】同上に用いる集中制御装置のブロック図である。
【図５】同上に用いる屋外ユニットの一例の動作説明図である。
【図６】同上に用いる屋外ユニットの要部の概略構成図である。
【図７】同上に用いる屋外ユニットの他例の動作説明図である。
【図８】同上に用いる屋外ユニットの別例の動作説明図である。
【図９】同上に用いる屋外ユニットのさらに他の構成例を示す図である。
【図１０】本発明の実施形態２に用いる屋外ユニットのブロック図である。
【符号の説明】
１  屋外ユニット
２  集中制御装置
３  信号線
４  供給機
１０  端末器
１１  送受信部
１２  信号処理部
１３  アドレス設定部
１４  表示部
１５  音声部
１６  操作部
２０  信号処理部
２１  送受信部
２２  表示部
２３  入力部
２４  音声部
２５  記憶部
３１ａ  リココンブレーカ
３１ｂ  電磁弁
３１ｃ  電磁弁
３２  リレー
３３  照明負荷
３４ａ  コンセント
３４ｂ  吐出管
３４ｃ  吐出管
３５ｂ  手動バルブ
３５ｃ  手動バルブ
３６ａ  電線
３６ｂ  水道管
３６ｃ  送風管
３７ａ  電力メータ
３７ｂ  水量メータ
３７ｃ  エアメータ
３９  接続台
５０  ハウジング
５１  収納穴
５４ａ  ピニオン
５４ｂ  ラック
５５ａ  滑車
５５ｂ  滑車
５６  ワイヤ
５７  モータ
【図１】
0003687175.tif 000002
【図２】
0003687175.tif 000003
【図３】
0003687175.tif 000004
【図４】
0003687175.tif 000005
【図５】
0003687175.tif 000006
【図６】
0003687175.tif 000007
【図７】
0003687175.tif 000008
【図８】
0003687175.tif 000009
【図９】
0003687175.tif 000010
【図１０】
0003687175.tif 000011